(57)【要約】【課題】小さい振動には、作動せず大きな揺れには、どの方向の揺れにも確実に反応しロックされる。又復帰も簡単な装置の提供をすること。【解決手段】揺れにより移動するボールに迫随して動く部品とボールの外側にあってボールの動きを伝える部分と支点になる部分、又ストッパー部分が掛け金を保持しており、ボールは地震の揺れによる往復運動でＸ方向、Ｙ方向又はそれらの複合方向に動かされる力を受けた時、支点が作用してストッパーが外れる。【選択図】      図１
2005307709.tif 000002
【特許請求の範囲】
【請求項１】
揺れによるボールの動きに追随して動く枠を備えた部品に設けた支点を介して、ボールの動きを回転運動に換え、又回転できない方向の動きには、移動し得る構造を有する部品により掛け金を支えているストッパーをはずす機構。
【請求項２】
ストッパーを外す揺れの大きさを決めるためと、ストッパーを元の位置に戻すためにボールの下にくぼみをつける。
【発明の詳細な説明】
【技術分野】
【０００１】本発明は、地震等の揺れで扉などが開放してしまい収納品が飛び出してしまうのを防ぐために、揺れを感じて掛け金をかけ、扉などの開放を防止する装置である。
【背景技術】
【０００２】従来地震等の大きい揺れに対して自動的にロックする方法として、提供されているものもあるが、揺れの方向が限定されていたり、揺れ方が不確定な地震の揺れでタイミングによっては、掛け金が掛からない等の確実さを欠いているものがあった。又機構も複雑なためバネや錘等の調節も難しく部品も多いために大きなものになり棚やキャ  ビネットに取り付けても大きなスペースをとっていた。
【発明の開示】
【発明が解決しようとしている課題】
【０００３】小さい振動には、作動せず大きな揺れには、どの方向の揺れにも確実に反応しロックされる。又復帰も簡単な装置の提供をすること。
【課題を解決するための手段】
【０００４】代表的な動きを説明するために図を用いて説明すると、（図−１）のような配置をとった場合、揺れにより移動するボールに追随して動く部品（図−１のＡ）または、（図−２斜視図）が有り（以後この部品を部品Ａと表示する）、この部品Ａは、ボールの外側にあってボールの動きを伝える部分（図−２  ▲１▼）と支点になる部分（図−２  ▲２▼）、又ストッパー部分（図−２  ▲３▼）を有していて、ストッパー部分が（図−３  ▲３▼）の様に掛け金を保持している。ボールは地震の揺れによる往復運動で（図−４）のＸ方向、Ｙ方向又はそれらの複合方向に動かされる力を受けた時、支点が作用して矢印ａが示すような回転して進む動きとなり、支点ピンｂを介して矢印ｃ方向の動きを得てストッパーが外れる。又矢印ｄのようにボールが回転運動に変わらないボールと支点を結ぶ直線方向の力を受けたときは、支点部分に設けられた長穴ｅ（幅は支点ピンｂの直径より僅かに広い）によりストッパー部は、ｆ方向に移動することができストッパーが外れる。
回転運動を得にくい角度方向の揺れにも、２つの働きの相乗効果でストッパーを外すことができ、３６０度どの方向の揺れにも確実に反応して掛け金を掛けることが出来る。
揺れの大きさにより作動する範囲を決めるために（図−３）のｇの様にボールの下に漏斗状の凹みが設けてありボールの動きを規制している為小さい振動では、ストッパーをはずせる程動けないが一定値以上の加速度を得たときはボールが長い距離動けるのでストッパーがはずれ掛け金が掛かる。又この凹部は、ボールが動ける範囲より広く取ってあるため（図−１）の部品Ａは、ボールが凹み中心に戻る動きによって（図−４）の支点ｂの案内を受けて元の位置に自動的に戻ることが出来るため、掛け金復帰時に簡単な作業で済む。
【発明の効果】
【０００５】以上のような明快でどの方向の揺れにも確実に作動する方法でかつ応用力のある方法のため利用価値が高く多方面で安全を確保できる。
【発明を実施するための最良の形態】
【０００６】本発明は、実施するにあたり最良の形態として、（図−１）のような配置をとることで、地震の揺れによる往復運動で（図−４）のＸ方向、Ｙ方向又はそれらの複合方向に動かされる力を受け、支点が作用して矢印ａが示すような回転して進む動きとなり、支点ピンｂを介して矢印ｃ方向の動きを得てストッパーが外れる。又矢印ｄのようにボールが回転運動に変わらないボールと支点を結ぶ直線方向の力を受けたときは、支点部分に設けられた長穴ｅ（幅は支点ピンｂの直径より僅かに広い）によりストッパー部は、ｆ方向に移動することができストッパーが外れる。
【実施例】
【０００７】本発明の実施例として（図−１）のような構造で説明すると掛け金のストッパーを外すためには、（図−４）のｆ及びｃの方向にストッパーが移動し、（図−１）のｈ部分つまり掛け金の横方向規制幅より外に出ることで掛け金が外れるのでボール及び部品Ａの動きは、（図−４）の矢印ａ方向及び矢印ｄ方向に動ければよく、不必要な方向の移動を規制するために枠としてｉとｊを設けた。ｉ部分の直線的規制枠は、（図−４）のＹ方向又はそれに近い方向の力を受けた時に部品Ａのストッパー部がｃと逆方向の動きにならず、矢印ｄ方向に動けるよう矢印ｄの方向にほぼ平行で部品Ａの外枠より僅か外側に規制枠を設けた。ｊ部分の規制枠は、これによりボールがボールの下にある窪み部分（図−３）のｇより外側に移動しないように規制する為設けているので揺れがなくなるとボールは、凹み中心に戻る方向に動き部品Ａのストッパー部も含め（図−１）に示す様な位置関係に戻る動きをする。掛け金の作動時に（図−３）のｋの様な所に掛け金の動きの限度を決める部品を設け、掛け金が作動した時点で掛け金上部ｌがストッパーが戻ろうとする動きを防止していれば、掛け金を元の状態にするべく掛け金を上げてストッパーが入れる隙間が開いた時に自動的に掛け金の下に入り込むようになる。以上（図−１）のような水平方向に配置した機構を説明したが（図−５）のように縦方向に配置した構造にも出来る。つまりボールの動きを縦軸に伝え縦軸は途中にｍの様な支点を設けてあり縦軸の先端が掛け金を支えている部品に連結しておりその部品には、やはり支点と長穴ｎが設けて有りボールの動きにより前の説明と同じ理屈の効果を得てストッパー部が移動することにより掛け金が外れる。つまり掛け金を支える部品は、片端の揺れによる直線的動きを回転運動にする支点部分を有しかつ回転運動に変えられないまたは、変えにくい方向の動きのときは、その方向に直線的に動ける部分を有する構造を持ち地震などの揺れによる力をストッパーが外れる方向につたえれば作動するので、掛け金を支える部品の角度や材質又各部品の組み合わせ位置等変更も出来る為、多くの形状を持つ装置を作れるし大きなものも作れる。説明中ボールと書いたが地震の加速度を得て動けるものであれば（図−６）のようにボールの代わりに振り子の様な構造でも可能である。ボールの下にある窪み部分は、テーパー形状でもよいし椀形でもよい、又穴でもよく穴の深さを（図−７）の様に調節できるようにすることで、感知する揺れの大きさを変えることが出来る。支点部分は、ストッパー部品の支点部分の中にピンを立てなくても外側にくびれや凸部を設けても同じ効果を得られる。掛け金は、支点を中心に円運動をしなくても、落下させたり逆に上に上がる構造でもよい。又掛け金の上方向の跳ね上がりを防止するために掛け金に下方向に力を及ぼすバネ等を組み込んでもよい。掛け金と表現したが金属でなくてもよいしフック形でなく棒状の物でもよい。これらの構造的特長を有するために、開き扉の開放防止のみでなく引き戸や引き出しにも利用できる。又扉に取り付けたヒンジに、扉が閉まった状態やそれに近い状態で重なり合う部分を設けその部分に穴等を開けておきそこに掛け金を通してしまえば扉が開放できなくなり収納物の飛散防止に使える。店舗等の移動可能なワゴンなどにも壁や柱など固定されたところに本装置を取り付け地震などの揺れで動き出すのを止める事が出来るので避難路を確保できる、ショーケースや箪笥などの倒れ防止にも利用できる。
【産業上の利用可能性】
【０００８】本発明の揺れ感知式開放防止機構によれば、地震の揺れによる往復運動でＸ方向、Ｙ方向又はそれらの複合方向に動かされる力を受け、ストッパーが外れることにより、扉の開放を防止し収納物の飛散防止ができ、また、店舗等の移動可能なワゴンなどにも壁や柱など固定されたところに本装置を取り付け地震などの揺れで動き出すのを止める事が出来るので避難路を確保できる。さらに構造が簡単で、構成部品が少なく、製造コストの低廉な揺れ感知式開放防止機構を提供することができる。
【図面の簡単な説明】
【０００９】
【図１】揺れ感知式開放防止機構を示した平面図である。
【図２】部品Ａを示した斜視図である。
【図３】揺れ感知式開放防止機構を示した実装図である。
【図４】揺れ感知式開放防止機構の動作説明を示した断面図である。
【図５】縦方向に配置した構造を示した断面図である。
【図６】振り子構造の場合を示した断面図である。
【図７】感知する揺れの大きさを変えることが出来る事を示した断面図である。
【符号の説明】
【００１０】Ａ  ボールの動きに追随して動く部品
▲１▼  部品Ａのボールの外側を囲みボールの動きを伝える部分
▲２▼  部品Ａの支点部分
▲３▼  部品Ａの掛け金を保持しているストッパー部分
ａ  支点部が作用して回転運動をしている時の方向を示す矢印
ｄ  支点ピン
ｃ  矢印ａの動きにより、▲３▼のストッパー部が移動する方向を示す矢印
ｄ  ボールと支点を結ぶ直線での、ボールの移動方向を示す矢印
ｅ  支点部分に設けられた長穴
ｆ  ｄの方向に移動したときの、ストッパー部の移動方向
ｇ  漏斗状に凹んでいる部分を示す
ｈ  掛け金の横方向の規制幅
ｉ  移動範囲規制枠
ｊ  移動範囲規制枠
ｋ  掛け金の受け部品
ｌ  掛け金の上部あたりを示す
ｍ  支点部分
ｎ  長穴部分
【図１】
2005307709.tif 000003
【図２】
2005307709.tif 000004
【図３】
2005307709.tif 000005
【図４】
2005307709.tif 000006
【図５】
2005307709.tif 000007
【図６】
2005307709.tif 000008
【図７】
2005307709.tif 000009